(57)【要約】【課題】  入力音声信号に含まれる直流オフセット成分の除去を実現すること。【解決手段】  オーディオＩＣとＡ／Ｄコンバータとメモリと加算器とシステムコントローラ、及びオーディオＩＣの動作モードを切り替えるスイッチ１とメモリからの読み出しデータを切り替えるスイッチ２と加算器からの出力先を切り替えるスイッチ３を有し、これらのスイッチはシステムコントローラのコントロール信号により制御される。【選択図】  図２
2007318318.tif 000002
【特許請求の範囲】
【請求項１】
オーディオの入力音声信号に含まれる直流オフセット成分を除去する回路を有するデジタルカメラであって、
音声をアナログ信号に変換するマイクと
前記マイクからのアナログ信号を増幅するマイク増幅器と
前記マイク増幅器からのアナログ信号を増幅するREC増幅器と
少なくとも前記マイク増幅器とREC増幅器を備える音声ICと
前記音声信号をデジタルデータに変換するA/Dコンバータと
前記A/Dコンバータの出力データと規定値を記憶するメモリ手段と
前記A/Dコンバータとメモリの出力を加算する加算器と
コントロール信号を出力するシステムコントローラと
前記音声ICの動作状態を切り替えるスイッチと
前記メモリの出力データを切り替えるスイッチと
前記加算器の出力先を切り替えるスイッチを有し、
前記スイッチは前記コントロール信号に連動して切り替わることを特徴とするデジタルカメラ。
【請求項２】
請求項１に記載のデジタルカメラにおいて、前記スイッチは、通常録音モードとオフセット量検出モードの２通りのモードに切り替えることを特徴とするデジタルカメラ。
【請求項３】
請求項１に記載のデジタルカメラにおいて、
前記オフセット検出モードは、前記音声ＩＣを無音出力状態に設定することを特徴とするデジタルカメラ。
【請求項４】
請求項１に記載のデジタルカメラにおいて、
前記オフセット検出モードに係る情報を表示する表示手段と
前記オフセット検出モードに係る設定を行う操作部を備え、
前記表示手段には、前記オフセットモードの検出頻度の選択肢を表示し、操作部により前記選択肢を選択することを特徴とするデジタルカメラ。
【発明の詳細な説明】
【技術分野】
【０００１】
本発明は、オフセット除去回路に関し、特にオーディオの入力音声信号に含まれる直流オフセット成分の除去する回路に関する。
【背景技術】
【０００２】
オーディオ入力音声信号に含まれる直流オフセット成分は、オーディオIC単体のDCドリフトとその後段のA/D変換器のDCドリフトが原因として挙げられる。このオフセット成分はデジタルオーディオ信号処理装置における積和処理時のオーバーフロー発生の原因となり、結果としてノイズとして聞こえるため除去する必要がある。
【０００３】
オフセット成分の除去として、A/D変換器の後にデジタルフィルタを挿入として低域周波数成分をカットする手法があるが、従来オーディオ技術の分野で用いられる非巡回型(FIR型)のデジタルフィルタは急峻な周波数カットオフ特性を示すもののフィルタ数の増大、レジスタ数の増大を要し結果的に装置を大型化するので実用化されなかった。
【０００４】
その代わりとして広く用いられてきたオフセット成分除去の手法として、キャリブレーション方式がある。この方式は、特許文献１に記述されている通り、A/D変換動作の開始前にアース電位を入力した時のA/D変換器出力デジタル値をメモリに格納しておき、A/D変換動作開始後の入力アナログ信号対応のA/D変換器出力をそのメモリから前記デジタル値で補正するように構成されている。構成図を図１に示す。
【０００５】
即ち、このキャリブレーション方式のオフセット除去回路は、基本構成要素として、A/D変換器と、このA/D変換器の入力端子に可動接点端子が接続され、一対の固定接点端子の一方を入力アナログ信号源に、他方を接地電位点にそれぞれ接続され上記制御信号に応答され上記制御信号に応答してオフセット値検出では接地電位を、通常モードでは入力アナログ信号をA/D変換器の入力端子にそれぞれ供給するスイッチ手段と、このA/D変換器の出力端子に接続され上記制御信号に応答してオフセット値を記憶するRAMと、このRAMの出力デジタル値を上記通常モードにおけるA/D変換器の出力デジタル信号から減算する減算手段を備える。上記デジタル化したオフセット値はA/D変換器に固有のオフセット成分を表すので、減算器における減算により、その出力ではオフセット成分が除去されている。
【０００６】
又、別の従来例としては、特許文献２をあげることが出来る。
【特許文献１】ＵＳＰ４９４３８０７号明細
【特許文献２】特開2003-224754号公報
【発明の開示】
【発明が解決しようとする課題】
【０００７】
背景技術に記載したオフセット除去手法において、A/D変換器の入力を接地電位と入力アナログ信号源から比較することにより、A/D変換器自体のDCオフセットを除去することは可能であるが、オーディオIC側のDCオフセットを除去することは不可能である。よって、オーディオICの音声出力をコンデンサ結合して直流成分を除去してA/D変換器のアナログ電源でバイアスし直しオーディオIC側のDCオフセットを除去する手法があるが、A/D変換器のアナログ電源の電源ノイズに影響を受け易くなるという問題があった。
【０００８】
本発明は、上記課題を解決するためになされたもので、本発明の目的は、オーディオICからの無音信号を基準にDCオフセット除去することにより、オーディオIC込みのDCオフセット除去を可能とし、かつ前記オフセット除去は電源ノイズの影響を受けにくい構成をとる事を目的とする。
【課題を解決するための手段】
【０００９】
上記目的を達成するために、本願の請求項１に記載したデジタルカメラでは、オーディオの入力音声信号に含まれる直流オフセット成分を除去する回路を有するデジタルカメラであって、
音声信号を出力する音声ICと
前記音声信号をデジタルデータに変換するA/Dコンバータと
前記A/Dコンバータの出力データと規定値を記憶するメモリ手段と
前記A/Dコンバータとメモリの出力を加算する加算器と
コントロール信号を出力するシステムコントローラと
前記音声ICの動作状態を切り替えるスイッチと
前記メモリの出力データを切り替えるスイッチと
前記加算器の出力先を切り替えるスイッチを有し、
前記スイッチは前記コントロール信号に連動して切り替わることを特徴とする。
【００１０】
請求項２記載のデジタルカメラでは、前記スイッチは、通常録音モードとオフセット量検出モードの２通りのモードに切り替えることを特徴とする。
【００１１】
請求項３記載のデジタルカメラでは、
前記オフセット検出モードは、前記音声ＩＣを無音出力状態に設定することを特徴とする。
【００１２】
請求項４記載のデジタルカメラでは、
前記オフセット検出モードに係る情報を表示する表示手段と
前記オフセット検出モードに係る設定を行う操作部を備え
前記表示手段には、前記オフセットモードの検出頻度の選択肢を表示し、操作部により前記選択肢を選択することを特徴とする。
【発明の効果】
【００１３】
本願の請求項１から３に記載したデジタルカメラでは、オーディオＩＣからの無音信号を基準にオフセット除去するのでオーディオＩＣ込みのオフセット除去が可能であり、オーディオICの出力をCカットしてＡ／Ｄコンバータのアナログ電源でバイアスし直す必要もないのでノイズの影響も受けにくい。
【００１４】
又、本願の請求項４に記載したデジタルカメラでは、カメラ動作においてオフセット検出モードを動作させる頻度を選択可能とすることにより、ユーザーが目的に応じた録音が可能となる。
【発明を実施するための最良の形態】
【００１５】
次に、本発明の詳細を実施例の記述に従って説明する。
【００１６】
オーディオＩＣとＡ／Ｄコンバータとメモリと加算器とシステムコントローラ、及びオーディオＩＣの動作モードを切り替えるスイッチ１とメモリからの読み出しデータを切り替えるスイッチ２と加算器からの出力先を切り替えるスイッチ３を有し、これらのスイッチはシステムコントローラのコントロール信号により制御される。
【実施例１】
【００１７】
以下、図面を参照して本発明の実施例を説明する。
【００１８】
図２は、本発明の実施例の構成を示す図面である。図２の通り、構成として、ＭＩＣ１、少なくともＭＩＣ＿Ａｍｐ３とＲＥＣ＿Ａｍｐ４とシリアル制御部５をもつオーディオＩＣ２,Ａ／Ｄコンバータ６、出力データ並びに規定値等を記録する内部メモリ７、内部メモリ７からの出力を切り替えるＳＷ８，Ａ／Ｄコンバータ６からの出力と内部メモリ７からの出力を加算する加算器９、加算器９からの出力先を切り替えるＳＷ１０，音声処理部１１、音声ファイルを記録する外部メモリ１２、コントロール信号を出力するシステムコントローラ１３、Ｄ／Ａ変換器１４、表示部１５、操作部１６から成る。また、図３はオフセット検出モードの動作を示したフローチャート、図４は通常録音モードの動作を示したフローチャートである。実施例１から３の作用としてオフセット検出モードの動作について図２と図３から説明する。
【００１９】
カメラの電源がＯＮされる（Ｓ１０１）と、システムコントローラ１３に電源が投入され起動し（Ｓ１０２），オーディオＩＣに電源が投入され、ＩＣ内部で初期化されて待機状態となる（Ｓ１０３）。システムコントローラは、オーディオＩＣ内部のシリアル制御部にコントロール信号を送り、シリアル制御部がそれぞれＭＩＣ＿Ａｍｐ，ＲＥＣ＿ＡｍｐをＯＦＦ設定（Ｓ１０４）に、ＲＥＣＯＵＴ＿ＳＷをＯＮ設定（Ｓ１０５）し、オーディオＩＣからは、ＭＩＣから増幅された交流成分（アナログ音声信号）が重畳されない直流信号が出力される。直流信号には、オーディオＩＣのＤＣオフセット分が重畳され、音声レベル０のアナログ音声信号としてＡ／Ｄコンバータ６に出力される（Ｓ１０６）。Ａ／Ｄコンバータ６によりＡ／Ｄ変換（Ｓ１０７）された音声データは、Ａ／Ｄ変換時におけるＤ／Ｃオフセット分が更に重畳されて加算器９に出力される。システムコントローラ１３は、内部メモリ７に記録されている設定値の内、符号を反転させた無音時の規定値を、切り替えＳＷ８を切り替えることにより選択し（Ｓ１０８）、加算器９に出力させる。前記Ａ／Ｄコンバータ６によるＡ／Ｄ変換された音声データと前記システムコントローラ１３により選択されＳＷ８から出力された符号を反転させた無音時の規定値は加算器９により加算され（Ｓ１０９），音声データに重畳されていたＤＣオフセット分のみがＳＷ１０に出力される。システムコントローラ１３は、前記ＤＣオフセットデータが内部メモリに出力されるように切り替えＳＷ１０を切り替え（Ｓ１１０）、前記ＤＣオフセットデータが内部メモリに格納される（Ｓ１１１）。
【００２０】
次に通常録音モードの動作について図２と図４から説明する。カメラの電源がＯＮされる（Ｓ２０１）と、システムコントローラ１３に電源が投入され起動し（Ｓ２０２），オーディオＩＣに電源が投入され、ＩＣ内部で初期化されて待機状態となり（Ｓ２０３）、オーディオＩＣによりＭＩＣが通電し録音可能状態となる（Ｓ２０４）。システムコントローラは、オーディオＩＣのＭＩＣ＿ＡｍｐをＯＮに設定（Ｓ２０５）、ＲＥＣ＿ＡｍｐをＯＮに設定（Ｓ２０６）する。その後、システムコントローラが操作部１６からの記録開始を検出（Ｓ２０７）したら、ＲＥＣＯＵＴ＿ＳＷをＯＮに設定（Ｓ２０８）し、オーディオＩＣは、ＭＩＣからＭＩＣ＿Ａｍｐ，ＲＥＣ＿Ａｍｐを介しＭＩＣからの音声信号を増幅したアナログ音声信号がＡ／Ｄコンバータ６に出力される（Ｓ２０９）。このときオフセット検出モード同様ＤＣオフセット分がアナログ音声信号に重畳されている。Ａ／Ｄコンバータ６によりＡ／Ｄ変換（Ｓ２１０）された音声データは、Ａ／Ｄ変換時におけるＤ／Ｃオフセット分が更に重畳されて加算器９に出力される。システムコントローラ１３は、内部メモリ７に記録されている設定値の内、前記ＤＣオフセットモードで算出されたＤＣオフセット値の符号を反転させた値を、切り替えＳＷ８を切り替えることにより選択し（Ｓ２１１）、加算器９に出力させる。前記Ａ／Ｄコンバータ６によるＡ／Ｄ変換された音声データと前記システムコントローラ１３により選択されＳＷ８から出力された符号を反転させたＤＣオフセット値は加算器９により加算され（Ｓ２１２），重畳されていたＤＣオフセット分が除去された音声データがＳＷ１０に出力される。システムコントローラ１３は、前記ＤＣオフセット分が除去された音声データが音声処理部に出力されるように切り替えＳＷ１０を切り替え（Ｓ２１３）、前記ＤＣオフセット分が除去された音声データ音声処理部により音声Ｆｉｌｅ処理され（Ｓ２１４）、外部メモリに記録される（Ｓ２１５）。その後、記録開始処理待機状態となる。
【００２１】
上記により、本願の請求項１から３に記載したデジタルカメラでは、オーディオＩＣからの無音信号を基準にオフセット除去するのでオーディオＩＣ込みのオフセット除去が可能であり、オーディオICの出力をCカットしてＡ／Ｄコンバータのアナログ電源でバイアスし直す必要もないのでノイズの影響も受けにくい。
【００２２】
次に実施例４の作用について説明する。
【００２３】
図５は、録音補正頻度設定モードの表示部での表示例である。録音補正頻度設定モードとは、カメラ動作においてオフセット検出モードを動作させる頻度を選択するモードを意図する。図６は録音補正頻度設定モードの設定フローチャートである。図７、図８は録音補正頻度設定モードにて選択したモードに対するカメラ動作のフローチャートである。ユーザーが図5の録音補正頻度設定モードにおいてオフセット検出モードを動作させる頻度を設定する。本実施例では、初期状態と起動毎と録音毎を設定する。初期状態とは、カメラを工場出荷時においてのみオフセット検出モードを動作させてDCオフセット調整をし、メモリに固定値をもち、ユーザー使用時は、常に固定値を使用する状態である。起動毎は、カメラ起動時、録音毎は、録音時に常にオフセット検出モードを動作させてDCオフセット除去を行う状態である。カメラ動作においてオフセット検出モードを動作させる頻度を選択可能とすることにより、ユーザーが目的に応じた録音が可能となる。
【００２４】
録音補正頻度設定モードにおいてオフセット検出モードを動作させる頻度を設定後のカメラ動作を図７、図８から説明する。
【００２５】
カメラの電源がＯＮされる（Ｓ３０１）と、システムコントローラ１３がＯＮされる（Ｓ３０２）。その後、録音補正頻度設定モードによるオフセット検出モードを動作させる頻度を確認し、初期状態を選択されていた場合(Ｓ３０４)、通常録音モードの動作(Ｓ２０３以降)を繰り返す。
【００２６】
起動毎が選択されていた場合、オフセット検出モードの動作（Ｓ１０３〜Ｓ１１１）の処理を行った後、システムコントローラ１３がオーディオＩＣのＲｅｃ＿ＯｕｔをＯＦＦ状態にした後、スタンバイ解除する。その後、通常録音モードの動作(Ｓ２０５以降)を繰り返す。
【００２７】
録音毎が選択されていた場合、オーディオＩＣがＯＮ（Ｓ１０３）、システムコントローラがオーディオＩＣをスタンバイ状態に設定（Ｓ１０４）後、システムコントローラが操作部１６からの記録開始を検出（Ｓ３００）したら、オフセット検出モードの動作（Ｓ１０５〜Ｓ１１１）の処理を行った後、オーディオＩＣのＭＩＣ＿ＡｍｐをＯＮ状態に（Ｓ３０１）、ＲＥＣ＿ＡｍｐをＯＮ状態に（Ｓ３０２）、ＲＥＣＯＵＴをＯＮ状態に（Ｓ３０３）に設定し、オーディオＩＣは、ＭＩＣからの音声信号を増幅して通常のアナログ音声信号がＡ／Ｄコンバータ６に出力される（Ｓ３０４）。このときＤＣオフセット分がアナログ音声信号に重畳されている。Ａ／Ｄコンバータ６によりＡ／Ｄ変換（Ｓ３０５）された音声データは、Ａ／Ｄ変換時におけるＤ／Ｃオフセット分が更に重畳されて加算器９に出力される。システムコントローラ１３は、内部メモリ７に記録されている設定値の内、前記ＤＣオフセットモードで算出されたＤＣオフセット値の符号を反転させた値を、切り替えＳＷ８を切り替えることにより選択し（Ｓ３０６）、加算器９に出力させる。前記Ａ／Ｄコンバータ６によるＡ／Ｄ変換された音声データと前記システムコントローラ１３により選択されＳＷ８から出力された符号を反転させたＤＣオフセット値は加算器９により加算され（Ｓ３０７），重畳されていたＤＣオフセット分が除去された音声データがＳＷ１０に出力される。システムコントローラ１３は、前記ＤＣオフセット分が除去された音声データが音声処理部に出力されるように切り替えＳＷ１０を切り替え（Ｓ３０８）、前記ＤＣオフセット分が除去された音声データ音声処理部により音声Ｆｉｌｅ処理され（Ｓ３０９）、外部メモリに記録される（Ｓ３１０）。その後、記録開始処理待機状態となる。
【００２８】
上記により、本願の請求項４に記載したデジタルカメラでは、カメラ動作においてオフセット検出モードを動作させる頻度を選択可能とすることにより、ユーザーが目的に応じた録音が可能となる。
【図面の簡単な説明】
【００２９】
【図１】従来例の構成を示す図面である。
【図２】本発明の実施例の構成を示す図面である。
【図３】本実施例のフローチャート１である。
【図４】本実施例のフローチャート２である。
【図５】本実施例の録音補正頻度設定モードの表示部での表示例である。
【図６】本実施例のフローチャート３である。
【図７】本実施例のフローチャート４である。
【図８】本実施例のフローチャート５である。
【図１】
2007318318.tif 000003
【図２】
2007318318.tif 000004
【図３】
2007318318.tif 000005
【図４】
2007318318.tif 000006
【図５】
2007318318.tif 000007
【図６】
2007318318.tif 000008
【図７】
2007318318.tif 000009
【図８】
2007318318.tif 000010